(57)【要約】      （修正有）【課題】組立ておもちゃを構成する複数のカードの連結を簡易かつ堅固に行うことができるとともに、一定の形状に制約された部品を多数組み合わせて立体物を構築する場合のような、遊技者の創造性を触発することのできる組立ておもちゃを提供する。【解決手段】カード１０，２０，３０にはスリット１６が形成され、スリット１６は、一のカードの表面に対して、連結される他のカードの表面が９０度回転された状態において、連結される他のカードのスリット１６と互いに嵌め合わせが可能に構成する。各カード１０，２０，３０の平面視形状は、多角形状とする。【選択図】図５
0003197374.tif 000002
【実用新案登録請求の範囲】
【請求項１】
カード状の多数のカードから構成される組立ておもちゃであって、前記カードにはスリットが形成され、前記スリットは、一のカードの表面に対して、連結される他のカードの表面が９０度回転された状態において、連結される他のカードの前記スリットと互いに嵌め合わせが可能であることを特徴とする組立ておもちゃ。
【請求項２】
前記カードは平面視において多角形状であることを特徴とする請求項１に記載の組立ておもちゃ。
【請求項３】
前記カードは平面視において正多角形状であることを特徴とする請求項２に記載の組立ておもちゃ。
【請求項４】
前記組立ておもちゃを構成する複数のカードは、角の数の異なる複数種の多角形状のカードから構成されることを特徴とする請求項１から請求項３のいずれかに記載の組立ておもちゃ。
【請求項５】
連結される他の複数のカードの先端部分が干渉しないように、前記スリットの長さを所定以下としたことを特徴とする請求項１から請求項４のいずれかに記載の組立ておもちゃ。
【請求項６】
前記各カードに形成される複数の前記スリットの長さ及び幅は同一であることを特徴とする請求項１から請求項５のいずれかに記載の組立ておもちゃ。
【請求項７】
前記スリットは、連結される他のカードが前記スリットに圧入可能とされる幅に形成されていることを特徴とする請求項１から請求項５のいずれかに記載の組立ておもちゃ。
【請求項８】
カード状の多数のカードから構成される組立ておもちゃであって、前記カードにはスリットが形成され、前記スリットは、一のカードの表面に対して、連結される他のカードの表面が９０度回転された状態において、連結される他のカードの前記スリットと互いに嵌め合わせが可能であり、前記各カードは平面視において多角形状とされ、前記スリットは、その長さが、連結される他の複数のカードの先端部分が干渉しないように所定以下とされ、その幅が、連結される他のカードが圧入可能とされるように形成されるとともに、前記各カードにそれぞれ形成されるスリットの長さ及び幅が同一とされることを特徴とする組立ておもちゃ。
【考案の詳細な説明】
【技術分野】
【０００１】
この考案は、組立ておもちゃに関し、特に、互いに連結可能な多数のカード状の部品により立体物を組立てることのできる組立ておもちゃに関する。
【背景技術】
【０００２】
従来、互いに連結可能な多数のカード状の部品を用いて、これらを多数組み合わせて立体物を組み立てることのできる組立ておもちゃが知られている。例えば、特許文献１に記載の組立ておもちゃでは、多角形状組立部材１０の本体部１１の外縁に、別の多角形状組立部材１０と連結するために突出されて、相互にはめあい可能ないくつかのフィンガー１２が形成されている。
【先行技術文献】
【特許文献】
【０００３】
【特許文献１】特開平２−０８２９９５号公報（図１〜図５等）
【考案の概要】
【考案が解決しようとする課題】
【０００４】
従来の組立ておもちゃでは、２つのフィンガー１２の間に他の多角形状組立部材１０のフィンガー１２を差し込んで嵌め合う。差し込まれるフィンガー１２の先端は他の多角形状組立部材１０の２つのフィンガー１２の奥端にまで差し込まれるだけである。特許文献１の図８及び図９のように、フィンガー１２の差込み角度を調整することにより多角形状組立部材１０同士の角度を任意に調整できる反面、これらの連結が不安定になる。また、多角形状組立部材１０同士の角度を任意に調整できることは、組み立て用の「ブロック」のように、一定の形状に制約された部品を多数組み合わせて立体物を構築するような場合のような、遊技者の創造性を触発する機会をかえって失わせることになる。
【０００５】
本考案が解決しようとする目的は、前述した先行技術の問題点を解決するものであり、組立ておもちゃを構成する複数のカードの連結を簡易かつ堅固におこなうことができるとともに、一定の形状に制約された部品を多数組み合わせて立体物を構築するような場合のような、遊技者の創造性を触発することのできる組立ておもちゃを提供することにある。
【課題を解決するための手段】
【０００６】
上記課題を解決するものは以下のものである。
（１）カード状の多数のカードから構成される組立ておもちゃであって、前記カードにはスリットが形成され、前記スリットは、一のカードの表面に対して、連結される他のカードの表面が９０度回転された状態において、連結される他のカードの前記スリットと互いに嵌め合わせが可能であることを特徴とする組立ておもちゃである。
【０００７】
「互いに嵌め合わせが可能」とは、本考案においては、スリット同士が差し込まれて、それぞれのスリットの奥端まで連結される他のカードが差し込まれた状態とすることが可能であることを指す。このようにスリットを構成することにより、連結される他のカードを簡易かつ堅固にすることができるとともに、一定の形状に制約された部品を多数組み合わせて立体物を構築して遊技者の創造性を触発することのできる組立ておもちゃとすることができる。
【０００８】
（２）前記カードは平面視において多角形状であることを特徴とする（１）に記載の組立ておもちゃ。
【０００９】
多角形状は三角形、四角形、六角形などの多数の頂点を有する形状を指すが、おおよそ多角形状に近似する形状も含む主旨である。
【００１０】
（３）前記カードは平面視において正多角形状であることを特徴とする（２）に記載の組立ておもちゃ。
【００１１】
（４）前記組立ておもちゃを構成する複数のカードは、角の数の異なる複数種の多角形状のカードから構成されることを特徴とする（１）から（３）のいずれかに記載の組立ておもちゃ。
【００１２】
このような異なる多角形状のカードから構成することにより、組み立てられる組立ておもちゃの形状などに多様性を持たせることが可能となる。
【００１３】
（５）連結される他の複数のカードの先端部分が干渉しないように、前記スリットの長さを所定以下としたことを特徴とする（１）から（４）のいずれかに記載の組立ておもちゃ。
【００１４】
連結されるカードが互いに干渉しないように、スリットの長さを所定以下としたものである。
【００１５】
（６）前記各カードに形成される複数の前記スリットの長さ及び幅は同一であることを特徴とする（１）から（５）のいずれかに記載の組立ておもちゃ。
【００１６】
（７）前記スリットは、連結される他のカードが前記スリットに圧入可能とされる幅に形成されていることを特徴とする（１）から（６）のいずれかに記載の組立ておもちゃ。
【００１７】
「圧入可能とされる幅」はカードの材質によってことなるが、少なくともカードの厚みと同一か、または段ボールやゴムなどの柔らかい材質の場合には、カードの厚みより狭く形成されているものである。このように形成することにより、カードの連結を簡易にかつ堅固におこなうことができる。
【００１８】
（８）カード状の多数のカードから構成される組立ておもちゃであって、前記カードにはスリットが形成され、前記スリットは、一のカードの表面に対して、連結される他のカードの表面が９０度回転された状態において、連結される他のカードの前記スリットと互いに嵌め合わせが可能であり、前記各カードは平面視において多角形状とされ、前記スリットは、その長さが、連結される他の複数のカードの先端部分が干渉しないように所定以下とされ、その幅が、連結される他のカードが圧入可能とされるように形成されるとともに、前記各カードにそれぞれ形成されるスリットの長さ及び幅が同一とされることを特徴とする組立ておもちゃ。
【考案の効果】
【００１９】
本考案の組立ておもちゃは、前述の構成とされているので、組立ておもちゃを構成する複数のカードの連結を簡易かつ堅固におこなうことができるとともに、一定の形状に制約された部品を多数組み合わせて立体物を構築するような場合のような、遊技者の創造性を触発することができる。
【図面の簡単な説明】
【００２０】
【図１】図１は、本考案の組立ておもちゃに用いるカードの第一例の平面図である。
【図２】図２は、本考案の組立ておもちゃに用いるカードの第二例の平面図である。
【図３】図３は、本考案の組立ておもちゃに用いるカードの第三例の平面図である。
【図４】図４は、図１の第一例のカードの４つのスリットに他のカードを嵌め合わせた状態を示す一部平面図である。
【図５】図５は、図１から図３のカードを用いて組み立てた組立ておもちゃの一部の斜視図である。
【図６】図６は、図１から図３のカードを用いて組み立てた組立ておもちゃの斜視図である。
【図７】図６は、本考案の組立ておもちゃに用いるカードの第四例の平面図である。
【図８】図７は、本考案の組立ておもちゃに用いるカードの第五例の平面図である。
【図９】図８は、本考案の組立ておもちゃに用いるカードの第六例の平面図である。
【図１０】図９は、本考案の組立ておもちゃに用いるカードの第七例の平面図である。
【図１１】図１１は、別の組立ておもちゃの一部の斜視図である。
【考案を実施するための形態】
【００２１】
以下において、本考案の組立ておもちゃについて、図面を参照して詳細に説明する。なお、本考案は以下に説明する例に限られず、本考案の趣旨の範囲内で適宜の変更が可能である。本考案の組立ておもちゃ１に用いるカードは、何種類かの形状のものが用意されている。図１に示すように、カード１０は、平面視が正方形状とされた薄いカード状に形成されているものである。カード１０の平面視における横辺１２，１４、縦辺１３，１５は、それぞれ９０ｍｍとされ、また、厚みは８ｍｍとされている。
【００２２】
各辺１２〜１５の中心には、各辺１２〜１５にそれぞれ直交する方向に沿って、スリット１６が形成されている。スリット１６は、長さが２０ｍｍ、幅が７ｍｍとされている。
【００２３】
後述するように、カード１０を連結する場合には、スリット１６同士を嵌め合わせて、スリット１６内に、連結される他のカード１０の本体部１１を嵌め合わせる。この時に、図４に示すように、連結される他の複数のカード１０の先端部分が干渉しないようにするために、連結される互いのカード１０の先端が連結するカード１０の中心部Ｘ付近で干渉しあわないように、スリット１６の長さを一定以下に抑えてある。本例では、前述したように、各辺１２〜１５の長さ９０ｍｍに対して、各辺１２〜１５の中心に形成されたスリット１６の長さは２０ｍｍとされている。よって、複数のカード１０をスリット１６をはめ込むようにして連結した場合には、連結された各カード１０の先端は、中心部Ｘにおいて１０ｍｍずつ間隔が空くように構成されている。したがって、各カード１０を連結した際に、スリット１６の奥まで確実にカード１０をはめ込むことができる。また、各辺のスリット１６を所定の長さとすることにより、どのスリット１６に他のカード１０をどの向きではめ込んでも、同様の連結状態とすることができるので、多数のカード１０を順次、容易に連結することができる。
【００２４】
また、前述したように、カード１０の厚みが８ｍｍとされているのに対して、スリット１６の幅は７ｍｍとされている。一方、本例のカード１０は強化ダンボールを用いて形成されている。スリット１６の幅がカード１０の厚みよりも僅かに小さく設けられることにより、スリット１６内に他のカード１０を圧入するようにして嵌め合わせることができる。よって、各カード１０を確実に連結固定することができる。このカード１０の場合は、製造コスト上、型抜きによって製造しているが、他の方法で製造しても良い。
【００２５】
次に、他の形状の第二例、第三例のカード２０，３０について説明する。なお、以下の例において、前述したカード１０と共通する構成については、カード１０と共通の符号を図面に付してその説明を省略する。図２に示すように、カード２０は、前述したカード１０の横方向の長さを２倍とするとともに、上下の縦方向のスリット１６を２つに増やしたものである。すなわち、カード２０は縦辺１３，１５の長さがカード１０と同じく９０ｍｍとされているのに対して、横辺２２，２４の長さが、カード１０の辺の２倍である１８０ｍｍとされている。
【００２６】
そして、横辺２２の上下に設けられたスリット１６は、カード２０の左端から４１．５ｍｍの位置から形成され、カード２０の右端から４１．５ｍｍの位置からもう一つ形成されている。また、各スリット１６の形状は、カード１０のスリット１６と同様である。よって、カード２０は、２つのカード１０を左右に連結したと同様な形状とされている。
【００２７】
また、図３に示すようにカード３０は、前述したカード１０の横方向の長さを３倍とするとともに、上下の縦方向のスリット１６を３つに増やしたものである。すなわち、カード３０は縦辺１３，１５の長さがカード１０と同じく９０ｍｍとされているのに対して、横辺３２，３４の長さが、カード１０の辺の３倍である２７０ｍｍとされている。
【００２８】
そして、横辺３２の上下に設けられたスリット１６は、カード３０の左端から４１．５ｍｍの位置から形成され、カード２０の右端から４１．５ｍｍの位置からもう一つ形成され、これらのスリット１６の中間位置、すなわちこれらのスリット１６からそれぞれ８３ｍｍ離れた位置からもう一つが形成されている。また、各スリット１６の形状は、カード１０のスリット１６と同様である。よって、カード３０は、３つのカード１０を左右に連結したと同様な形状とされている。
【００２９】
本例においては、前述の通り材料として強化ダンボールを用いているが、材料をこれに限定する趣旨ではなく、プラダン（プラスチック段ボール）、ゴム、プラスチック全般、硬質ウレタン、木材など、他の材質のカード状のものとすることも可能である。一方、本例では前述したように互いに連結する際にはスリット１６内に他のカード１０，２０，３０を圧入して固定が確実となるように構成されている。木材などの固い材質の場合にはスリットの幅をカードの厚みとほぼ同一とするなど、適宜変更すればよい。
【００３０】
次に、これらのカード１０，２０，３０を用いて組み立てる組立ておもちゃについて説明する。図５に示すように、スリット１６同士を嵌め合わせて複数のカードを組み合わせることができる。本例では、カード１０，２０，３０のそれぞれを用いる。図５に示すように、それぞれのスリット１６に、他のカードのスリット１６を互いに嵌め合わせるようにして、それぞれのカードの表面に対して連結する他のカードの表面が直交するように連結する。カード２０，３０の横辺２２，２４，３２，３４に形成された複数のスリット１６の間隔はカード１０の各辺１２〜１５と同じ長さに形成されているので、例えば、カード３０にそれぞれ連結された２つのカード１０の上部に、さらにカード３０を連結することもできる。よって、図６の例のように、これらのカード１０，２０，３０を「ブロック」のように多数連結して、自由に立体物を構築していくことができることになる。
【００３１】
前述した例のカード１０，２０，３０では、いずれも「矩形状」のカードとしたが、これに限られるものではなく、他の形状のカードを用いることもできる。例えば、図７や図８に示したように、平面視「三角形」や「六角形」などの形状のカード４０やカード５０としても良い。
【００３２】
正三角形状のカード４０においては、各辺４２，４３，４４の中心から、各辺４２，４３，４４に直交する方向、すなわち中心部Ｘに向かってスリット４６がそれぞれ形成されている。また、正六角形状のカード４０においては、各辺５２，５３，５４，５５，５６，５７の中心から、各辺５２，５３，５４，５５，５６，５７に直交する方向、すなわち中心部Ｘに向かってスリット５８がそれぞれ形成されている。
【００３３】
このような矩形以外の平面視形状のカードでは、カードの形状を矩形以外に多様化でき、さらにまた、連結する他のカードの角度を多様化することができ、構築する立体物の構成も多様化することができる。なお、これらのカード４０，５０においても、カード１０と同様に、スリット４６，５８は各辺の中心に形成されている。また、スリット４６，５８の長さは、カード４０，５０の中心部Ｘにおいて連結する他のカードの先端部分が互いに干渉しないように、所定の長さ以下に設けられている。
【００３４】
また、カードの頂点を切り欠いた形状とすることもできる。図９に示す例では、図７に示した平面視三角形状のカードの３つの頂点を、中心部Ｘに対して直交するように大きく切り欠くように形成されたカード６０とされている。このカード６０においては、各辺４２，４３，４４のほかに、この切り欠かれた切欠き辺４７，４８，４９にも同様に、各切欠き辺４７，４８，４９の中心から、各切欠き辺４７，４８，４９に直交する方向、すなわち中心部Ｘに向かってスリット４６がそれぞれ形成されている。
【００３５】
また、多角形のすべての辺ではなく、一部の辺にのみスリット１６を設けることとしても良い。図１０に示す例では、図８に示した平面視六角形状のカードの６つの辺５２，５３，５４，５５，５６，５７のうち、一つずつ交互にスリット１６を設ける辺と設けない辺とするカード７０とされている。このようなスリット１６を任意の辺に設ける態様は、前述した他のカード１０〜６０においても適用することができる。
【００３６】
上記した図７〜図１０に記載のカード４０，５０，６０，７０も用いて組み立てた組立ておもちゃ１ａの一部の例として、例えば図１１に示すようなものを例示することができる。
【００３７】
以上に述べたようなカード１０〜７０のような例を用いて自由に立体物を構築して各種の組立ておもちゃ１を創ることができる。よって、遊技者の嗜好性を満足させ、遊技者の創造性を触発することができる。また、前述したようなスリット１６によりカードを連結できるので、簡易かつ堅固にカードを連結することができる。
【産業上の利用可能性】
【００３８】
本考案は、カード状の部品を用いて組み立てる組立ておもちゃに広く適用することができる。
【符号の説明】
【００３９】
１；組立ておもちゃ、１０；カード、１２，１４；横辺、１３，１５；縦辺、１６；スリット、２０，３０；カード、２２，２４；横辺、３２，３４；横辺、４０；カード、４２，４３，４４；辺、４６；スリット、４７，４８，４９；切欠き辺、５０；カード、５２，５３，５４，５５，５６，５７；辺、５８；スリット、６０，７０；カード、中心部Ｘ。
【図１】
0003197374.tif 000003
【図２】
0003197374.tif 000004
【図３】
0003197374.tif 000005
【図４】
0003197374.tif 000006
【図５】
0003197374.tif 000007
【図６】
0003197374.tif 000008
【図７】
0003197374.tif 000009
【図８】
0003197374.tif 000010
【図９】
0003197374.tif 000011
【図１０】
0003197374.tif 000012
【図１１】
0003197374.tif 000013